(57)【要約】      （修正有）【課題】再生紙を利用して資源の節約に貢献させると共に、手渡或は郵送又は宅配で受取った時に強烈な印象を与えてその場限りだけでなく一定期間記憶に残ることが出来るようにした誕生日用紙製品を提供する。【解決手段】長方形で長手方向に対して直交する折曲線を中央に設け、表面４の折曲線より左側中央に誕生日のバラを印刷する花欄５を設け、花欄５上部に「誕生日のバラ」を記載するタイトル欄６と誕生日を記載する誕生日欄７を、又花欄５下部に花欄５に印刷しているバラの呼名を記載する名称欄８とバラの産地を記載する産地欄９を設けると共に、表面４の折曲線より右側上部に「誕生日お目出度う」等のメッセージを記載するメッセージ欄を、下部に紹介や宣伝を記載するＰＲ欄を設けた台紙２を、表面４が外側になるよう折曲線にて山折りし、重ね合わせた油取紙からなるサービス品１２を山折りした台紙２内に挿設し、透明な包装袋１３内に収納したものである。【選択図】図１
0003124770.tif 000002
【実用新案登録請求の範囲】
【請求項１】
長方形で長手方向に対して直交する折曲線を中央に設け、表面の折曲線より左側中央に誕生日のバラを印刷する花欄を設け、花欄上部に「誕生日のバラ」を記載するタイトル欄と誕生日を記載する誕生日欄を、又花欄下部に花欄に印刷しているバラの呼名を記載する名称欄とバラの産地を記載する産地欄を設けると共に、表面の折曲線より右側上部に「誕生日お目出度う」等のメッセージを記載するメッセージ欄を、下部に紹介や宣伝を記載するＰＲ欄を設けた台紙を、表面が外側になるよう折曲線にて山折りし、重ね合わせた油取紙からなるサービス品を、山折りした台紙内に挿設し、透明な長方形で袋状とした包装袋内に収納したことを特徴とする誕生日用紙製品。
【請求項２】
サービス品として、重ね合わせた一筆箋又は和封筒を一種類で或は複種類で重ね合わせた油取紙とセットにしたもので、山折りした台紙内に挿設するようにした請求項１記載の誕生日用紙製品。
【考案の詳細な説明】
【技術分野】
【０００１】  本考案は、再生紙を利用して誕生日のバラを印刷したカードと、紙製品からなる誕生祝のプレゼント品をセットにして透明袋内に設け、誕生日の人に郵送或は直接手渡しするようにした誕生日用紙製品に関するものである。
【背景技術】
【０００２】  誕生日には、一般の家庭では、家庭で或はレストランなど家庭外で誕生祝いを行ない、誕生祝いに参加する人はその時に誕生日を祝ってカード又は誕生祝品を直接手渡しすると共に、遠いため或は事情があって誕生祝いに参加出来ない人は、誕生日に間に合うよう郵送或は宅配などでカード又は誕生祝品を届けていた。
そして企業では、顧客に対して誕生日に間に合うよう郵送或は宅配などでカード又は誕生祝品を届けたり、或は誕生祝品の交換用のはがきを発送し顧客の都合の良い日に取りに来てもらうようにしていた。
このような中で、誕生日を祝うカードのみを或はカードを誕生祝品に添えて届けるのが習慣になっている。
【考案が解決しようとする課題】
【０００３】  このように誕生日を祝うカードのみを或は誕生祝品に添えて届けるのが習慣になっている中で、届けられたカードも色々工夫されてきている。
しかし従来のようなカードでは、マンネリ化して受取る人も余り感動せず特に必要なもの以外は記憶に残らずその処理もいい加減になってしまうなど誕生日カードを使用するに於いて非常に不都合を感じていた。
【課題を解決するための手段】
【０００４】  本考案はこのような不都合を解消し、資源の再利用として再生紙を利用すると共に、手渡或は郵送又は宅配で受取った時に強烈な印象を与え、その場限りだけでなく一定期間見たり或は用いたりして記憶に残ることが出来るようにした誕生日用紙製品を提供せんとするものである。
【０００５】  長方形で長手方向に対して直交する折曲線を中央に設け、表面の折曲線より左側中央に誕生日のバラを印刷する花欄を設け、花欄上部に「誕生日のバラ」を記載するタイトル欄と誕生日を記載する誕生日欄を、又花欄下部に花欄に印刷しているバラの呼名を記載する名称欄とバラの産地を記載する産地欄を設けると共に、表面の折曲線より右側上部に「誕生日お目出度う」等のメッセージを記載するメッセージ欄を、下部に紹介や宣伝を記載するＰＲ欄を設けた台紙を、表面が外側になるよう折曲線にて山折りし、重ね合わせた油取紙のみを、又は重ね合わせた一筆箋と和封筒を単品或は複合にて重ね合わせた油取紙とセットにしてなるサービス品を、山折りした台紙内に挿設し、透明な長方形で袋状とした包装袋内に入れ、包装袋の挿入口側を折り曲げセロハン粘着テープにて挿入口を止めて収納したものである。
【０００６】  尚、サービス品としては一筆箋と和封筒に限定せず、紙製品で日常生活の中で用いるものであればどのようなものでも良い。
そして誕生日のバラは花フェスタ記念公園で咲いた中から選んだ３６６種類を撮影したものを用いると共に、３６６種が一覧できるよう見本となっている。
【０００７】  使用に当たっては、前もってバラの花３６６種を印刷した誕生日用セット製品３６６種類一年分を準備しておいても良いし、数か月分を準備するようにしても良いが、何れにしても直ぐに販売或は購入することが出来るよう準備しておく。このように準備した誕生日用紙製品を個人或は家庭又は企業に於いて使用するには、誕生祝いをする人の誕生日が誕生日欄に記載された月日と同じ誕生日用紙製品を購入し、誕生日用紙製品のみを或は他のプレゼントと一緒に直接渡したり郵送又は宅配にて届けたりする。
【０００８】  そして誕生日に誕生日用紙製品を受取ると、台紙に印刷してあるバラを見て改めて誕生日のバラを知ると共に、セットになっているプレゼント品を使用の都度送ってくれた人を思い出したり、或はＰＲ欄によって新たな情報を得ることが出来るため、誕生日用紙製品の目的を十分に果しその効果を持続させることが出来る。
而も、台紙にその時季に合った紙製品のプレゼント品を任意に選択して組合わせることが可能となると共に、再生紙を使用するため資源の節約にも貢献することが出来る。
【考案の効果】
【０００９】  本考案の請求項１及び請求項２に於いては、上述の如く３６６種類のバラによって一年の内何時の日でも製作・販売・プレゼントが容易に行なえ、しかもシンプルに纏められていても誕生日のバラを強烈に印象付けることが出来、更に紙製品のプレゼント品を添えることで、より実用的としながら従来の誕生を祝うカードと違った雰囲気を以て手渡や郵送或は宅配が行なえる。
そして受取った誕生日の人は、誕生日のバラを知ると共にセットになっているプレゼント品を有効利用し、送ってくれた人を思い出したり或はＰＲ欄によって新たな情報を得ることが出来るため、送った効果を十分に発揮することが出来る。
又、台紙にその時季に合った紙製品のプレゼント品を任意に選択して組合わせることが可能であるためより範囲の広い誕生日を祝うプレゼントとして用いることが出来る。
このように多くの効果があり実用上非常に優れた考案である。
【考案を実施するための最良の形態】
【００１０】  長方形で長手方向に対して直交する折曲線を中央に設け、表面の折曲線より左側中央に誕生日のバラを印刷する花欄を設け、花欄上部に「誕生日のバラ」を記載するタイトル欄と誕生日を記載する誕生日欄を、又花欄下部に花欄に印刷しているバラの呼名を記載する名称欄とバラの産地を記載する産地欄を設けると共に、表面の折曲線より右側上部に「誕生日お目出度う」等のメッセージを記載するメッセージ欄を、下部に紹介や宣伝を記載するＰＲ欄を設けた台紙を、表面が外側になるよう折曲線にて山折りし、重ね合わせた油取紙のみを、又は重ね合わせた一筆箋と和封筒を単品或は複合にて重ね合わせた油取紙とセットにしてなるサーピス品を、山折りした台紙内に挿設し、透明な長方形で袋状とした包装袋内に収納したものである。
【実施例１】
【００１１】  以下本考案の一実施例を図面について説明する。
図中１は誕生日用紙製品全体を示し、２は台紙であって、長方形で長手方向に対して直交する折曲線３を中央に設け、表面４一方（折曲線３より左側）の中央に誕生日のバラを印刷する花欄５を設け、花欄５上部の外側に「誕生日のバラ」を記載するタイトル欄６を、又その内側に誕生日（例えば１月２１日）を記載する誕生日欄７を、花欄５下部の外側に花欄５に印刷しているバラの呼名（例えばクリスチャンディオール）を記載する名称欄８を、その下にバラの産地（例えばフランス）を記載する産地欄９を設けると共に、表面４他方（折曲線３より右側）の上部に「誕生日お目出度う」等のメッセージを記載するメッセージ欄１０を、下部に紹介や宣伝を記載するＰＲ欄１１を設けている。【００１２】  １２は１０枚を重ね合わせた油取紙からなるサービス品であって、台紙２の約半分の大きさとし、台紙２を折り曲げた時、台紙２内に収納を可能としている。
１３は透明な長方形で袋状とした包装袋であって、台紙２の包装を可能としている。【００１３】  使用するに当たっては、花欄５・タイトル欄６・誕生日欄７・名称欄８・産地欄９・メッセージ欄１０・ＰＲ欄１１・にそれぞれ該当する内容のものが記載された台紙２を表面４が外側になるよう折曲線３にて山折りし、重ね合わせた油取紙からなるサービス品１２を折り曲げた台紙２内に設けて一組とし、包装袋１３内に入れて包装袋１３の挿入口側を折り曲げセロハン粘着テープにて挿入口を止めて収納し誕生日用紙製品１にして準備する。
この誕生日用紙製品１を使用するには、誕生祝いをする人の誕生日が誕生日欄７に記載された月日と同じ誕生日用紙製品１を購入し、直接渡したり或は郵送又は宅配にて届ける。
【実施例２】
【００１４】  本実施例は実施例１と殆ど同じのため異なる部分について説明する。
図中１４は誕生日用紙製品全体を示し、１５は長方形の線入り一筆箋からなるサービス品であって、巾を台紙２の約半分より僅かに小さな寸法として台紙２を折り曲げた時、台紙２内に収納を可能として１０枚を重ね合わせている。
１６は透明な長方形で袋状とした包装袋であって、台紙２及びサービス品１４の包装を可能としている。【００１５】  使用するに当たっては、花欄５・タイトル欄６・誕生日欄７・名称欄８・産地欄９・メッセージ欄１０・ＰＲ欄１１・にそれぞれ該当する内容のものが記載された台紙２を表面４が外側になるよう折曲線３にて山折りし、重ね合わせた油取紙からなるサービス品１２と重ね合わせた一筆箋からなるサービス品１５を折り曲げた台紙２内に設けて一組とし、包装袋１６内に入れ包装袋１６の挿入口側を折り曲げセロハン粘着テープにて挿入口を止めて収納し誕生日用紙製品１４にして準備する。
この誕生日用紙製品１を使用するには、実施例１と同じ要領で行なうので説明は省略する。
【実施例３】
【００１６】  本実施例は実施例２と殆ど同じのため異なる部分について説明する。
図中１７は誕生日用紙製品全体を示し、１８は長方形の線入り一筆箋からなり縦長としたとき下方に誕生日のバラをプリントする箋用花欄１９を設けてなるサービス品であって、巾を台紙２の半分より僅かに小さな寸法として台紙２を折り曲げた時、台紙２内に収納を可能として１０枚を重ね合わせている。
使用に当たっての準備及び使用するには、実施例２と同じ要領で行なうので説明は省略する。
【実施例４】
【００１７】  本実施例は実施例１と殆ど同じのため異なる部分について説明する。
図中２０は誕生日用紙製品全体を示し、２１は市販の和封筒からなるサービス品であって、折り曲げた台紙２内に収納を可能として１０枚を重ね合わせている。
２２は透明な長方形で袋状とした包装袋であって、台紙２及びサービス品２１とサービス品２１の包装を可能としている。【００１８】  使用するに当たっては、台紙２を表面４が外側になるよう折曲線３にて山折りし、重ね合わせた油取紙からなるサービス品１２と重ね合わせた和封筒からなるサービス品２１を一組とし、折り曲げた台紙２内に挿設して包装袋２２内に入れ、包装袋２２の挿入口側を折り曲げセロハン粘着テープにて挿入口を止めて収納し誕生日用紙製品２０にして準備する。
この誕生日用紙製品２０を使用するには、実施例１と同じ要領で行なうので説明は省略する。
【実施例５】
【００１９】  本実施例は実施例４と殆ど同じのため異なる部分について説明する。
図中２３は誕生日用紙製品全体を示し、２４は縦長としたとき下方に誕生日のバラをプリントする和封筒用花欄２５を設けてなるサービス品であって、折り曲げた台紙２内に収納を可能として１０枚を重ね合わせている。
使用に当たっての準備及び使用するには、実施例４と同じ要領で行なうので説明は省略する。
【実施例６】
【００２０】  本実施例は実施例２と実施例４とを組合せたものであり殆ど同じのため異なる部分について説明する。
図中２６は誕生日用紙製品全体を示し、２７は透明な長方形で袋状とした包装袋であって、台紙２及びサービス品１２とサービス品１５とサービス品２１の包装を可能としている。【００２１】  使用するに当たっては、台紙２を表面４が外側になるよう折曲線３にて山折りし、重ね合わせた油取紙からなるサービス品１２と、重ね合わせた一筆箋からなるサービス品１５と、重ね合わせた和封筒からなるサービス品２１を一組とし、折り曲げた台紙２内に挿設して包装袋２７内に入れ、包装袋２７の挿入口側を折り曲げセロハン粘着テープにて挿入口を止めて収納し誕生日用紙製品２６にして準備する。
この誕生日用紙製品２６を使用するには、実施例１と同じ要領で行なうので説明は省略する。
【実施例７】
【００２２】  本実施例は実施例３と実施例５とを組合せたものであり殆ど同じのため異なる部分について説明する。
図中２８は誕生日用紙製品全体を示し、２９は透明な長方形で袋状とした包装袋であって、台紙２及びサービス品１２とサービス品１８とサービス品２４の包装を可能としている。【００２３】  使用するに当たっては、台紙２を表面４が外側になるよう折曲線３にて山折りし、重ね合わせた油取紙からなるサービス品１２と、重ね合わせた一筆箋からなり箋用花欄１９を設けたサービス品１８と、重ね合わせた和封筒からなり和封筒用花欄２５を設けたサービス品２４を折り曲げた台紙２内に挿設して一組とし、包装袋２９内に入れ包装袋２９の挿入口側を折り曲げセロハン粘着テープにて挿入口を止めて収納し誕生日用紙製品２８にして準備する。
この誕生日用紙製品２８を使用するには、実施例１と同じ要領で行なうので説明は省略する。
尚、実施例１から実施例７に於いて再生紙の利用が可能なものは総て再生紙を利用する。
【産業上の利用可能性】
【００２４】  家庭で或は企業に於いて、誕生日祝いのカードに代えて幅広く利用することが出来る。
【図面の簡単な説明】
【００２５】
【図１】実施例１の一部を破断した正面図
【図２】実施例１の一部を破断した背面図
【図３】実施例１の台紙を展開した正面図
【図４】実施例２の一部を破断した正面図
【図５】実施例３の一部を破断した正面図
【図６】実施例４の一部を破断した正面図
【図７】実施例５の一部を破断した正面図
【図８】実施例６の一部を破断した正面図
【図９】実施例７の一部を破断した正面図
【符号の説明】
【００２６】  １    誕生日用紙製品
２    台紙
３    折曲線
４    表面
５    花欄
６    タイトル欄
７    誕生日欄
８    名称欄
９    産地欄
１０    メッセージ欄
１１    ＰＲ欄
１２    サービス品
１３    包装袋
１４    誕生日用紙製品
１５    サービス品
１６    包装袋
１７    誕生日用紙製品
１８    サービス品
１９    箋用花欄
２０    誕生日用紙製品
２１    サービス品
２２    包装袋
２３    誕生日用紙製品
２４    サービス品
２５    和封筒用花欄
２６    誕生日用紙製品
２７    包装袋
２８    誕生日用紙製品
２９    包装袋
【図１】
0003124770.tif 000003
【図２】
0003124770.tif 000004
【図３】
0003124770.tif 000005
【図４】
0003124770.tif 000006
【図５】
0003124770.tif 000007
【図６】
0003124770.tif 000008
【図７】
0003124770.tif 000009
【図８】
0003124770.tif 000010
【図９】
0003124770.tif 000011